(57)【要約】【課題】画像および楽曲を並行して再生する際の利便性が向上する再生技術を提供する。【解決手段】再生装置では、音楽データサーバからダウンロードした楽曲データの再生が可能であり、またデジタルカメラで撮影されて記憶部に記憶されている画像データの再生も可能である。この再生装置においてユーザが記憶部内の画像群を再生する場合には、検索情報(例えばキーワード)による選曲(ステップＳＴ１１〜ＳＴ１３)や再生画像に関連した選曲(ステップＳＴ１４)によって選ばれた楽曲がダウンロードされて画像とともに再生される(ステップＳＴ１６)。これにより、画像および楽曲を並行して再生する際の利便性が向上することとなる。【選択図】図３
2007172675.tif 000002
【特許請求の範囲】
【請求項１】
複数の画像データと前記複数の画像データそれぞれに対応する付加情報とを関連付けて記憶する画像記憶手段と、複数の楽曲データと前記複数の楽曲データそれぞれに対応する付加情報とを関連付けて記憶する楽曲記憶手段とからデータ取得が可能な再生装置であって、
(a)画像データに基づく画像の再生が可能な画像再生手段と、
(b)楽曲データに基づく楽曲の再生が可能な楽曲再生手段と、
(c)前記画像記憶手段から画像データを選び出す画像選択手段と、
(d)前記画像データおよび前記楽曲データの付加情報を参照し、前記画像選択手段によって選び出された画像データに関連した楽曲データを前記楽曲記憶手段で検索する楽曲検索手段と、
(e)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生装置。
【請求項２】
複数の画像データを記憶する画像記憶手段と、複数の楽曲データを記憶する楽曲記憶手段とからデータ取得が可能な再生装置であって、
(a)画像データに基づく画像の再生が可能な画像再生手段と、
(b)楽曲データに基づく楽曲の再生が可能な楽曲再生手段と、
(c)前記画像記憶手段から画像データを選び出す画像選択手段と、
(d)検索情報を入力する入力手段と、
(e)前記検索情報に基づき前記楽曲記憶手段で楽曲データを検索する楽曲検索手段と、
(f)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生装置。
【請求項３】
請求項２に記載の再生装置において、
前記楽曲記憶手段は、前記複数の楽曲データと前記複数の楽曲データそれぞれに対応する付加情報とを関連付けて記憶しており、
前記楽曲検索手段は、
(e-1)前記楽曲データの付加情報を参照し、前記検索情報に基づく検索を行う手段、
を有することを特徴とする再生装置。
【請求項４】
複数の画像データと前記複数の画像データそれぞれに対応する付加情報とを関連付けて記憶する画像記憶手段と、複数の楽曲データと前記複数の楽曲データそれぞれに対応する付加情報とを関連付けて記憶する楽曲記憶手段とからデータ取得が可能な再生装置であって、
(a)画像データに基づく画像の再生が可能な画像再生手段と、
(b)楽曲データに基づく楽曲の再生が可能な楽曲再生手段と、
(c)前記楽曲記憶手段から楽曲データを選び出す楽曲選択手段と、
(d)前記画像データおよび前記楽曲データの付加情報を参照し、前記楽曲選択手段によって選び出された楽曲データに関連した画像データを前記画像記憶手段で検索する画像検索手段と、
(e)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段と、
を備えることを特徴とする再生装置。
【請求項５】
複数の画像データを記憶する画像記憶手段と、複数の楽曲データを記憶する楽曲記憶手段とからデータ取得が可能な再生装置であって、
(a)画像データに基づく画像の再生が可能な画像再生手段と、
(b)楽曲データに基づく楽曲の再生が可能な楽曲再生手段と、
(c)前記楽曲記憶手段から楽曲データを選び出す楽曲選択手段と、
(d)検索情報を入力する入力手段と、
(e)前記検索情報に基づき前記画像記憶手段で画像データを検索する画像検索手段と、
(f)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段と、
を備えることを特徴とする再生装置。
【請求項６】
請求項５に記載の再生装置において、
前記画像記憶手段は、前記複数の画像データと前記複数の画像データそれぞれに対応する付加情報とを関連付けて記憶しており、
前記画像検索手段は、
(e-1)前記画像データの付加情報を参照し、前記検索情報に基づく検索を行う手段、
を有することを特徴とする再生装置。
【請求項７】
複数の画像データを記憶する画像記憶手段と、複数の楽曲データを記憶する楽曲記憶手段とからデータ取得が可能な再生装置であって、
(a)画像データに基づく画像の再生が可能な画像再生手段と、
(b)楽曲データに基づく楽曲の再生が可能な楽曲再生手段と、
(c)検索情報を入力する入力手段と、
(d)前記入力手段に入力された検索情報に基づき前記画像記憶手段で画像データを検索する画像検索手段と、
(e)前記入力手段に入力された検索情報に基づき前記楽曲記憶手段で楽曲データを検索する楽曲検索手段と、
(f)前記画像検索手段によって検索された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生装置。
【請求項８】
請求項７に記載の再生装置において、
前記画像記憶手段は、前記複数の画像データと前記複数の画像データそれぞれに対応する付加情報とを関連付けて記憶するとともに、
前記楽曲記憶手段は、前記複数の楽曲データと前記複数の楽曲データそれぞれに対応する付加情報とを関連付けて記憶しており、
前記画像検索手段は、
(d-1)前記画像データの付加情報を参照して検索を行う手段、
を有するとともに、
前記楽曲検索手段は、
(e-1)前記楽曲データの付加情報を参照して検索を行う手段、
を有することを特徴とする再生装置。
【請求項９】
請求項１ないし請求項８のいずれかに記載の再生装置において、
前記再生制御手段により再生した画像データと楽曲データとを関連付ける情報を記録する記録手段、
をさらに備えることを特徴とする再生装置。
【請求項１０】
再生装置に内蔵されたコンピュータにおいて実行されることにより、当該再生装置を請求項１ないし請求項９のいずれかに記載の再生装置として機能させることを特徴とするプログラム。
【請求項１１】
再生システムであって、
(a)複数の画像データと前記複数の画像データそれぞれに対応する付加情報とを関連付けて記憶する画像記憶手段と、
(b)複数の楽曲データと前記複数の楽曲データそれぞれに対応する付加情報とを関連付けて記憶する楽曲記憶手段と、
(c)画像データに基づく画像の再生が可能な画像再生手段と、
(d)楽曲データに基づく楽曲の再生が可能な楽曲再生手段と、
(e)前記画像記憶手段から画像データを選び出す画像選択手段と、
(f)前記画像データおよび前記楽曲データの付加情報を参照し、前記画像選択手段によって選び出された画像データに関連した楽曲データを前記楽曲記憶手段で検索する楽曲検索手段と、
(g)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生システム。
【請求項１２】
再生システムであって、
(a)複数の画像データを記憶する画像記憶手段と、
(b)複数の楽曲データを記憶する楽曲記憶手段と、
(c)画像データに基づく画像の再生が可能な画像再生手段と、
(d)楽曲データに基づく楽曲の再生が可能な楽曲再生手段と、
(e)前記画像記憶手段から画像データを選び出す画像選択手段と、
(f)検索情報を入力する入力手段と、
(g)前記検索情報に基づき前記楽曲記憶手段で楽曲データを検索する楽曲検索手段と、
(h)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生システム。
【請求項１３】
再生システムであって、
(a)複数の画像データと前記複数の画像データそれぞれに対応する付加情報とを関連付けて記憶する画像記憶手段と、
(b)複数の楽曲データと前記複数の楽曲データそれぞれに対応する付加情報とを関連付けて記憶する楽曲記憶手段と、
(c)画像データに基づく画像の再生が可能な画像再生手段と、
(d)楽曲データに基づく楽曲の再生が可能な楽曲再生手段と、
(e)前記楽曲記憶手段から楽曲データを選び出す楽曲選択手段と、
(f)前記画像データおよび前記楽曲データの付加情報を参照し、前記楽曲選択手段によって選び出された楽曲データに関連した画像データを前記画像記憶手段で検索する画像検索手段と、
(g)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段と、
を備えることを特徴とする再生システム。
【請求項１４】
再生システムであって、
(a)複数の画像データを記憶する画像記憶手段と、
(b)複数の楽曲データを記憶する楽曲記憶手段と、
(c)画像データに基づく画像の再生が可能な画像再生手段と、
(d)楽曲データに基づく楽曲の再生が可能な楽曲再生手段と、
(e)前記楽曲記憶手段から楽曲データを選び出す楽曲選択手段と、
(f)検索情報を入力する入力手段と、
(g)前記検索情報に基づき前記画像記憶手段で画像データを検索する画像検索手段と、
(h)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段と、
を備えることを特徴とする再生システム。
【請求項１５】
再生システムであって、
(a)複数の画像データを記憶する画像記憶手段と、
(b)複数の楽曲データを記憶する楽曲記憶手段と、
(c)画像データに基づく画像の再生が可能な画像再生手段と、
(d)楽曲データに基づく楽曲の再生が可能な楽曲再生手段と、
(e)検索情報を入力する入力手段と、
(f)前記入力手段に入力された検索情報に基づき前記画像記憶手段で画像データを検索する画像検索手段と、
(g)前記入力手段に入力された検索情報に基づき前記楽曲記憶手段で楽曲データを検索する楽曲検索手段と、
(h)前記画像検索手段によって検索された画像データに基づく画像の再生を前記画像再生手段で行わせつつ、前記楽曲検索手段によって検索された楽曲データに基づく楽曲の再生を前記楽曲再生手段で行わせる再生制御手段と、
を備えることを特徴とする再生システム。
【発明の詳細な説明】
【技術分野】
【０００１】
本発明は、画像データに基づく画像の再生と楽曲データに基づく楽曲の再生とを並行して行う再生技術に関する。
【背景技術】
【０００２】
近年、音楽配信サーバからダウンロードした楽曲データ等を端末等で再生することが盛んに行われるようになってきている。
【０００３】
このような再生技術に関連した技術としては、例えば特許文献１に開示されるものがある。この技術によれば、異なる形式の複数のデータと、これらのデータの形式を表す識別子や記録場所を示すテーブルとで構成されるコンテンツデータを作成することにより、再生装置に搭載されているデコーダ等にとって最適な形式のデータを選択して再生できるようになっている。
【０００４】
【特許文献１】特開２００３−２６４７９１号公報
【発明の開示】
【発明が解決しようとする課題】
【０００５】
しかしながら、上記特許文献１の技術は、再生装置のデコーダに適した楽曲データ（や動画等の画像データ）の再生を単に行うものであり、楽曲と画像とを組み合わせて同時に自動再生させるものではない。一方、所望の画像と楽曲とを並行して再生できれば、ユーザにとって便利である。
【０００６】
本発明は、上記課題に鑑みてなされたものであり、画像および楽曲を並行して再生する際の利便性が向上する再生技術を提供することを目的とする。
【課題を解決するための手段】
【０００７】
上記の課題を解決するため、請求項１の発明は、複数の画像データと前記複数の画像データそれぞれに対応する付加情報とを関連付けて記憶する画像記憶手段と、複数の楽曲データと前記複数の楽曲データそれぞれに対応する付加情報とを関連付けて記憶する楽曲記憶手段とからデータ取得が可能な再生装置であって、(a)画像データに基づく画像の再生が可能な画像再生手段と、(b)楽曲データに基づく楽曲の再生が可能な楽曲再生手段と、(c)前記画像記憶手段から画像データを選び出す画像選択手段と、(d)前記画像データおよび前記楽曲データの付加情報を参照し、前記画像選択手段によって選び出された画像データに関連した楽曲データを前記楽曲記憶手段で検索する楽曲検索手段と、(e)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【０００８】
また、請求項２の発明は、複数の画像データを記憶する画像記憶手段と、複数の楽曲データを記憶する楽曲記憶手段とからデータ取得が可能な再生装置であって、(a)画像データに基づく画像の再生が可能な画像再生手段と、(b)楽曲データに基づく楽曲の再生が可能な楽曲再生手段と、(c)前記画像記憶手段から画像データを選び出す画像選択手段と、(d)検索情報を入力する入力手段と、(e)前記検索情報に基づき前記楽曲記憶手段で楽曲データを検索する楽曲検索手段と、(f)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【０００９】
また、請求項３の発明は、請求項２の発明に係る再生装置において、前記楽曲記憶手段は、前記複数の楽曲データと前記複数の楽曲データそれぞれに対応する付加情報とを関連付けて記憶しており、前記楽曲検索手段は、(e-1)前記楽曲データの付加情報を参照し、前記検索情報に基づく検索を行う手段を有する。
【００１０】
また、請求項４の発明は、複数の画像データと前記複数の画像データそれぞれに対応する付加情報とを関連付けて記憶する画像記憶手段と、複数の楽曲データと前記複数の楽曲データそれぞれに対応する付加情報とを関連付けて記憶する楽曲記憶手段とからデータ取得が可能な再生装置であって、(a)画像データに基づく画像の再生が可能な画像再生手段と、(b)楽曲データに基づく楽曲の再生が可能な楽曲再生手段と、(c)前記楽曲記憶手段から楽曲データを選び出す楽曲選択手段と、(d)前記画像データおよび前記楽曲データの付加情報を参照し、前記楽曲選択手段によって選び出された楽曲データに関連した画像データを前記画像記憶手段で検索する画像検索手段と、(e)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段とを備える。
【００１１】
また、請求項５の発明は、複数の画像データを記憶する画像記憶手段と、複数の楽曲データを記憶する楽曲記憶手段とからデータ取得が可能な再生装置であって、(a)画像データに基づく画像の再生が可能な画像再生手段と、(b)楽曲データに基づく楽曲の再生が可能な楽曲再生手段と、(c)前記楽曲記憶手段から楽曲データを選び出す楽曲選択手段と、(d)検索情報を入力する入力手段と、(e)前記検索情報に基づき前記画像記憶手段で画像データを検索する画像検索手段と、(f)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段とを備える。
【００１２】
また、請求項６の発明は、請求項５の発明に係る再生装置において、前記画像記憶手段は、前記複数の画像データと前記複数の画像データそれぞれに対応する付加情報とを関連付けて記憶しており、前記画像検索手段は、(e-1)前記画像データの付加情報を参照し、前記検索情報に基づく検索を行う手段を有する。
【００１３】
また、請求項７の発明は、複数の画像データを記憶する画像記憶手段と、複数の楽曲データを記憶する楽曲記憶手段とからデータ取得が可能な再生装置であって、(a)画像データに基づく画像の再生が可能な画像再生手段と、(b)楽曲データに基づく楽曲の再生が可能な楽曲再生手段と、(c)検索情報を入力する入力手段と、(d)前記入力手段に入力された検索情報に基づき前記画像記憶手段で画像データを検索する画像検索手段と、(e)前記入力手段に入力された検索情報に基づき前記楽曲記憶手段で楽曲データを検索する楽曲検索手段と、(f)前記画像検索手段によって検索された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【００１４】
また、請求項８の発明は、請求項７の発明に係る再生装置において、前記画像記憶手段は、前記複数の画像データと前記複数の画像データそれぞれに対応する付加情報とを関連付けて記憶するとともに、前記楽曲記憶手段は、前記複数の楽曲データと前記複数の楽曲データそれぞれに対応する付加情報とを関連付けて記憶しており、前記画像検索手段は、(d-1)前記画像データの付加情報を参照して検索を行う手段を有するとともに、前記楽曲検索手段は、(e-1)前記楽曲データの付加情報を参照して検索を行う手段を有する。
【００１５】
また、請求項９の発明は、請求項１ないし請求項８のいずれかの発明に係る再生装置において、前記再生制御手段により再生した画像データと楽曲データとを関連付ける情報を記録する記録手段をさらに備える。
【００１６】
また、請求項１０の発明は、再生装置に内蔵されたコンピュータにおいて実行されることにより、当該再生装置を請求項１ないし請求項９のいずれかの発明に係る再生装置として機能させるプログラムである。
【００１７】
また、請求項１１の発明は、再生システムであって、(a)複数の画像データと前記複数の画像データそれぞれに対応する付加情報とを関連付けて記憶する画像記憶手段と、(b)複数の楽曲データと前記複数の楽曲データそれぞれに対応する付加情報とを関連付けて記憶する楽曲記憶手段と、(c)画像データに基づく画像の再生が可能な画像再生手段と、(d)楽曲データに基づく楽曲の再生が可能な楽曲再生手段と、(e)前記画像記憶手段から画像データを選び出す画像選択手段と、(f)前記画像データおよび前記楽曲データの付加情報を参照し、前記画像選択手段によって選び出された画像データに関連した楽曲データを前記楽曲記憶手段で検索する楽曲検索手段と、(g)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【００１８】
また、請求項１２の発明は、再生システムであって、(a)複数の画像データを記憶する画像記憶手段と、(b)複数の楽曲データを記憶する楽曲記憶手段と、(c)画像データに基づく画像の再生が可能な画像再生手段と、(d)楽曲データに基づく楽曲の再生が可能な楽曲再生手段と、(e)前記画像記憶手段から画像データを選び出す画像選択手段と、(f)検索情報を入力する入力手段と、(g)前記検索情報に基づき前記楽曲記憶手段で楽曲データを検索する楽曲検索手段と、(h)前記画像選択手段によって選び出された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【００１９】
また、請求項１３の発明は、再生システムであって、(a)複数の画像データと前記複数の画像データそれぞれに対応する付加情報とを関連付けて記憶する画像記憶手段と、(b)複数の楽曲データと前記複数の楽曲データそれぞれに対応する付加情報とを関連付けて記憶する楽曲記憶手段と、(c)画像データに基づく画像の再生が可能な画像再生手段と、(d)楽曲データに基づく楽曲の再生が可能な楽曲再生手段と、(e)前記楽曲記憶手段から楽曲データを選び出す楽曲選択手段と、(f)前記画像データおよび前記楽曲データの付加情報を参照し、前記楽曲選択手段によって選び出された楽曲データに関連した画像データを前記画像記憶手段で検索する画像検索手段と、(g)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段とを備える。
【００２０】
また、請求項１４の発明は、再生システムであって、(a)複数の画像データを記憶する画像記憶手段と、(b)複数の楽曲データを記憶する楽曲記憶手段と、(c)画像データに基づく画像の再生が可能な画像再生手段と、(d)楽曲データに基づく楽曲の再生が可能な楽曲再生手段と、(e)前記楽曲記憶手段から楽曲データを選び出す楽曲選択手段と、(f)検索情報を入力する入力手段と、(g)前記検索情報に基づき前記画像記憶手段で画像データを検索する画像検索手段と、(h)前記楽曲選択手段によって選び出された楽曲データに基づく楽曲の再生を前記楽曲再生手段で行わせつつ、前記画像検索手段によって検索された画像データに基づく画像の再生を前記画像再生手段で行わせる再生制御手段とを備える。
【００２１】
また、請求項１５の発明は、再生システムであって、(a)複数の画像データを記憶する画像記憶手段と、(b)複数の楽曲データを記憶する楽曲記憶手段と、(c)画像データに基づく画像の再生が可能な画像再生手段と、(d)楽曲データに基づく楽曲の再生が可能な楽曲再生手段と、(e)検索情報を入力する入力手段と、(f)前記入力手段に入力された検索情報に基づき前記画像記憶手段で画像データを検索する画像検索手段と、(g)前記入力手段に入力された検索情報に基づき前記楽曲記憶手段で楽曲データを検索する楽曲検索手段と、(h)前記画像検索手段によって検索された画像データに基づく画像の再生を前記画像再生手段で行わせつつ、前記楽曲検索手段によって検索された楽曲データに基づく楽曲の再生を前記楽曲再生手段で行わせる再生制御手段とを備える。
【発明の効果】
【００２２】
請求項１、請求項９、請求項１０および請求項１１の発明によれば、画像記憶手段から選び出された画像データに基づく画像の再生を画像再生手段で行わせつつ、再生する画像データに関連した楽曲データに基づく楽曲の再生を楽曲再生手段で行わせる。その結果、画像および楽曲を並行して再生する際の利便性が向上する。
【００２３】
また、請求項２、請求項３、請求項９、請求項１０および請求項１２の発明によれば、画像記憶手段から選び出された画像データに基づく画像の再生を画像再生手段で行わせつつ、検索情報に基づき楽曲記憶手段で検索された楽曲データに基づく楽曲の再生を楽曲再生手段で行わせる。その結果、画像および楽曲を並行して再生する際の利便性が向上する。
【００２４】
特に、請求項３の発明においては、楽曲データの付加情報を参照し検索情報に基づく検索を行うため、楽曲データの適切な検索を容易に行える。
【００２５】
また、請求項４、請求項９、請求項１０および請求項１３の発明によれば、楽曲記憶手段から選び出された楽曲データに基づく楽曲の再生を楽曲再生手段で行わせつつ、再生する楽曲データに関連した画像データに基づく画像の再生を画像再生手段で行わせる。その結果、画像および楽曲を並行して再生する際の利便性が向上する。
【００２６】
また、請求項５、請求項６、請求項９、請求項１０および請求項１４の発明によれば、楽曲記憶手段から選び出された楽曲データに基づく楽曲の再生を楽曲再生手段で行わせつつ、検索情報に基づき画像記憶手段で検索された画像データに基づく画像の再生を画像再生手段で行わせる。その結果、画像および楽曲を並行して再生する際の利便性が向上する。
【００２７】
特に、請求項６の発明においては、画像データの付加情報を参照し検索情報に基づく検索を行うため、画像データの適切な検索を容易に行える。
【００２８】
また、請求項７ないし請求項１０および請求項１５の発明によれば、入力された検索情報に基づき画像記憶手段で検索された画像データに基づく画像の再生を画像再生手段で行わせつつ、入力された検索情報に基づき楽曲記憶手段で検索された楽曲データに基づく楽曲の再生を楽曲再生手段で行わせる。その結果、画像および楽曲を並行して再生する際の利便性が向上する。
【００２９】
特に、請求項８の発明においては、画像データの付加情報を参照し検索情報に基づく画像検索を行うとともに、楽曲データの付加情報を参照し検索情報に基づく楽曲検索を行うため、画像データおよび楽曲データの適切な検索を容易に行える。
【００３０】
また、請求項９の発明においては、再生した画像データと楽曲データとを関連付ける情報を記録するため、この情報を次回の再生時に反映できる。
【発明を実施するための最良の形態】
【００３１】
＜第１実施形態＞
＜再生システムの要部構成＞
図１は、本発明の第１実施形態に係る再生システム１００Ａの要部構成を示す概略図である。
【００３２】
再生システム１００Ａは、画像データや楽曲データに基づく再生を行える再生装置１Ａと、再生装置１Ａに例えばインターネットなどのネットワークを介して通信可能に接続する音楽データサーバ２とを備えている。また、再生システム１００Ａは、再生装置１ＡにケーブルＣａ、Ｃｂを介して通信可能に接続するデジタルカメラ３とプロジェクタ４とを備えている。
【００３３】
再生装置１Ａは、例えばパーソナルコンピュータとして構成されており、箱状の形状を有する処理部１０と、操作部１１と、表示部１２とを有している。また、再生装置１Ａには、表示部１２の両サイドに、楽曲データに基づく楽曲の再生が可能なスピーカ１３が設けられている。
【００３４】
処理部１０の前面には、光ディスク９１を挿入するドライブ１０１が設けられている。
【００３５】
操作部１１は、マウス１１１とキーボード１１２とを有しており、ユーザからの再生装置１Ａに対する入力操作を受付ける。
【００３６】
表示部１２は、例えばＣＲＴとして構成され、画像データに基づく画像の再生が可能な画像再生手段として機能する。
【００３７】
音楽データサーバ２は、多数の楽曲データを記憶しており、再生装置１Ａに対する楽曲データの送信が可能となっている。
【００３８】
デジタルカメラ３は、撮影されてメモリカード９２に記録されている静止画や動画の画像データをケーブルＣａを介して再生装置１Ａに送信することが可能である。
【００３９】
プロジェクタ４は、画像データに基づく画像の再生が可能な画像再生手段として機能し、再生装置１ＡからケーブルＣｂを介して伝送される画像をスクリーンに投影して表示できる。
【００４０】
図２は、再生装置１Ａの機能ブロックを示す図である。
【００４１】
再生装置１Ａの処理部１０は、上記の操作部１１、表示部１２およびスピーカ１３に接続する入出力Ｉ／Ｆ１４と、入出力Ｉ／Ｆ１４に電気的に接続する制御部１５Ａとを備えている。また、処理部１０は、制御部１５Ａに電気的に接続する記憶部１６と、入出力Ｉ／Ｆ１７と、通信部１８とを備えている。
【００４２】
入出力Ｉ／Ｆ１４は、操作部１１、表示部１２およびスピーカ１３と制御部１４との間でデータの送受をコントロールするためのインターフェースである。
【００４３】
記憶部１６は、例えばハードディスクとして構成されており、デジタルカメラ３から送られた画像データや、後述のように画像および楽曲を同時に再生させるプログラム（以下では「同時再生プログラム」と称する）などを記憶する。また、記憶部１６は、音楽データサーバ２からダウンロードされた楽曲データの保存も可能となっている。
【００４４】
入出力Ｉ／Ｆ１７は、ドライブ１０１を介して、記録媒体として働く光ディスク９１に対するデータの入出力を行うためのインターフェースである。
【００４５】
通信部１８は、音楽データサーバ２、デジタルカメラ３およびプロジェクタ４と通信するための部位である。
【００４６】
制御部１５Ａは、コンピュータとして働くＣＰＵ１５１およびメモリ１５２を有しており、再生装置１Ａの動作を統括制御する部位である。この制御部１５Ａで同時再生プログラムが実行されることにより、後述のような画像および楽曲の同時再生が可能となる。
【００４７】
制御部１５Ａのメモリ１５２には、光ディスク９１に記録されている同時再生プログラムなどのプログラムデータを入出力Ｉ／Ｆ１７を介して格納することができる。このようにプログラムデータをインストールすることにより、再生装置１Ａの動作に反映できることとなる。
【００４８】
＜画像データおよび楽曲データの付加情報について＞
デジタルカメラ３で撮影し作成された画像ファイルには、撮影画像データとともに、次のような付加情報がＥＸＩＦタグに記録されている。
【００４９】
(１)撮影年月日、および撮影時刻の情報
(２)撮影時に設定されていた撮影シーン(例えばスポーツモード、夜景モード、マクロモードなど)の情報
(３)ユーザが入力した情報（例えば結婚式や旅行、誕生日のようなイベント情報や子供などの被写体に関する情報）
(４)フラッシュ撮影の有無
(５)光源情報
(６)被写体輝度情報
(７)レンズ焦点距離および合焦距離情報（撮影倍率情報）
よって、デジタルカメラ３から記憶部１６に送られた各画像データにおいては、画像データそれぞれに対応する付加情報が記憶部１６で関連付けられて記憶されることとなる。
【００５０】
一方、音楽データサーバ２に格納されている楽曲ファイルには、ＭＰ３形式等の楽曲データとともに、次のような付加情報が記録されている。
【００５１】
(１)発売時期の情報
(２)アーティスト名の情報
(３)ジャンルの情報
(４)現在・過去のトップチャート情報
(５)メモ情報（例えばアップテンポ、スローテンポなどの楽曲情報）
よって、音楽データサーバ２内の各楽曲データにおいては、楽曲データそれぞれに対応する付加情報が関連付けられて記憶されることとなる。
【００５２】
再生装置１Ａでは、以上のような付加情報を利用し、記憶部１６からデータ取得した画像データと音楽データベース２からデータ取得した楽曲データとを並行して再生できるようになっているが、この具体的な再生動作について以下で説明する。
【００５３】
＜再生システム１００Ａの動作＞
図３は、再生システム１００Ａ、特に再生装置１Ａの基本的な動作を示すフローチャートである。本動作は、制御部１５Ａで同時再生プログラムを実行することによって実施される。
【００５４】
ステップＳ１では、再生する画像群を選択する。すなわち、記憶部１６から所望の画像データを選び出す。ここでは、例えばユーザが操作部１１を操作し記憶部１６のフォルダを指定することにより、そのフォルダ内の画像群が選択されることとなる。
【００５５】
ステップＳ２では、再生する楽曲についてキーワードによる選曲を行うかを判定する。ここでは、例えばキーワードによる選曲を行うか否かを問う画面を表示部１２に表示し、この画面に対するユーザ入力で判断する。ここで、キーワードによる選曲を行う場合にはステップＳ３に進み、行わない場合にはステップＳ７に進む。
【００５６】
ステップＳ３では、キーワードのカテゴリーを判定する。ここでは、例えば図４に示す画面を表示部１２に表示し、「思い出」、「楽曲のジャンル等」および「今の気分」のうちいずれがユーザによって選択されたかを判断する。ここで、「思い出」が選択された場合にはステップＳ４に進み、「楽曲のジャンル等」が選択された場合にはステップＳ５に進む。また、「今の気分」が選択された場合にはステップＳ６に進む。
【００５７】
ステップＳ４では、検索情報として思い出に関わる年月の入力を行う。例えば、図５に示す画面を表示部１２に表示し、エディットボックスＥＢ１に入力された年の情報とエディットボックスＥＢ２に入力された月の情報とを取得する。
【００５８】
ステップＳ５では、検索情報として楽曲のジャンル等に関する入力を行う。例えば、図６に示す画面を表示部１２に表示し、チェックボックスＣＫ１において選択された楽曲ジャンル等の情報を取得する。なお、図６に示す画面では、楽曲のジャンルのみを表示しているが、アーティスト名などを表示して選択できるようにしても良い。
【００５９】
ステップＳ６では、検索情報として今の気分に関する入力を行う。例えば、図７に示す画面を表示部１２に表示し、チェックボックスＣＫ２において選択された今の気分（「ハッピーな気分」や「ブルーな気分」）の情報を取得する。
【００６０】
なお、以上ではカテゴリーが単一の選択であったが、カテゴリーを複数選択できるようにしても良い。
【００６１】
ステップＳ７では、ステップＳ１で選択された画像群の再生を開始する。例えば、操作部１１に対するユーザ操作に応答して画像再生がスタートする。
【００６２】
ステップＳ８では、画像の再生時間を設定する。ここでは、ステップＳ１で選択された画像群の画像枚数に対して、予め設定されている画像１枚当たりの表示時間が乗算されることにより、再生時間を計算して設定する。
【００６３】
ステップＳ９では、キーワードによる選曲を行うかを判定する。ここでは、ステップＳ２での判定結果を受けてキーワードによる選曲の有無が自動的に判断される。ここで、キーワードによる選曲を行う場合にはステップＳ１０に進み、行わない場合にはステップＳ１４に進む。
【００６４】
ステップＳ１０では、キーワードのカテゴリーを判定する。ここでは、ステップＳ３での判定結果を受けてキーワードのカテゴリーが自動的に判断される。ここで、「思い出」が選択されていた場合にはステップＳ１１に進み、「音楽ジャンル等」が選択されていた場合にはステップＳ１２に進む。また、「今の気分」が選択されていた場合にはステップＳ１３に進む。
【００６５】
ステップＳ１１では、ステップＳ４で入力された年月に基づき選曲を行う。具体的には、楽曲データの付加情報（例えば発売時期の情報やトップチャートに上がった時期に関する情報）を参照し、入力された年月に該当する楽曲データを音楽データサーバ２で検索する。
【００６６】
ステップＳ１２では、ステップＳ５で入力された楽曲のジャンル等に基づき選曲を行う。具体的には、楽曲データの付加情報（例えばジャンルの情報等）を参照し、入力された楽曲のジャンル等に該当する楽曲データを音楽データサーバ２で検索する。
【００６７】
ステップＳ１３では、ステップＳ６で入力された今の気分に基づき選曲を行う。具体的には、楽曲データの付加情報（例えばメモ情報）を参照し、入力された今の気分に該当する楽曲データを音楽データサーバ２で検索する。例えば、図７に示すように今の気分として「ハッピーな気分」が選択されていた場合には、付加情報に「アップテンポ」が書き込まれている楽曲データが選択されることとなる。
【００６８】
なお、以上においてカテゴリーが複数選択されている場合には、それぞれの「ａｎｄ」をとって選曲されることとなる。
【００６９】
ステップＳ１４では、ステップＳ１で選択された画像データの付加情報と音楽データサーバ２内の楽曲データの付加情報とを参照し、再生画像に関連した選曲を行う。例えば、再生画像に関する「撮影年月日の情報」と楽曲データに関する「過去のトップチャート情報」とを参照し、撮影時にヒットしていた楽曲データを音楽データサーバ２で検索する。特に１２月２４日、２５日の撮影であれば撮影倍率など（人が写っている確率が高いものが多い）を考慮して、クリスマスソングなどの楽曲を音楽データサーバ２で検索する。また、例えば選択した再生画像の全て(または大半)の撮影シーンが「夜景(モード)」となっているとか、撮影時間が夜の時間帯で被写体輝度が低いとか、フラッシュ発光しているなどの場合は、付加情報として「スローテンポ」が書き込まれている楽曲を音楽データサーバ２で検索する。また、選択した再生画像のすべて(または大半)の光源情報が昼光で被写体輝度が高く、撮影が夏に行われている場合には、海辺の音楽を検索したり、撮影が冬であれば、スキーなどの音楽を音楽データサーバ２で検索する。
【００７０】
ステップＳ１５では、ステップＳ１１〜Ｓ１４で選曲された楽曲から、ステップＳ８で設定された再生時間分の楽曲を抽出する。ここで、複数の楽曲を選ぶ場合には、それらの合計演奏時間が画像再生時間に相当するようにする。
【００７１】
ステップＳ１６では、ステップＳ１５で抽出された楽曲を音楽データサーバ２から、その楽曲名とともにダウンロードする際に必要な料金を表示部１２に表示する。
【００７２】
ステップＳ１７では、ステップＳ１６で表示された料金にユーザが合意するかを判定する。ここでは、例えば料金に合意するか否かを問う画面を表示部１２に表示し、この画面に対するユーザ入力で判断する。ここで、料金に合意する場合にはステップＳ１９に進み、合意しない場合にはステップＳ１８に進む。
【００７３】
ステップＳ１８では、楽曲の見直しを行う。すなわち、ステップＳ１６で表示された料金にユーザが合意していないため、例えばステップＳＴ１５で抽出された楽曲の一部(または全部)を、記憶部１６に保存されているダウンロード済みの楽曲データから選曲した無料の楽曲に置き換える。
【００７４】
なお、前もって料金の上限が定められるようになっている場合には、それに合わせて楽曲を決めるようにしても良い。
【００７５】
ステップＳ１９では、ステップＳ１で選択された画像群を順次に表示部１２やプロジェクタ４で再生表示するとともに、ステップＳ１５で抽出された楽曲（またはステップＳ１８で見直された楽曲）を音楽データサーバ２からダウンロードしてスピーカ１３で再生する。すなわち、記憶部１６から選び出された画像データに基づく画像の再生を表示部１２等で行いつつ、キーワードで検索された楽曲データや再生画像に関連して検索された楽曲データに基づく楽曲の再生をスピーカ１３で行う。
【００７６】
ステップＳ２０では、画像および楽曲の再生が終了した後に、ステップＳ１６で再生された楽曲(楽曲名)の情報を、再生された画像ファイルのタグ部分に記録する。このように再生した画像データと楽曲データとを関連付けるリンク情報を画像ファイルに記録することにより、次回の画像再生時に例えば再生回数が多い楽曲順での楽曲再生が可能となり、利便性が向上することとなる。
【００７７】
以上の再生装置１Ａ(再生システム１００Ａ)の動作により、ユーザが選択した画像データに基づく画像の再生を表示部１２(またはプロジェクタ４)で行いつつ、キーワード等に基づき選曲された楽曲データに基づく楽曲の再生をスピーカ１３で行うため、画像および楽曲を並行して再生する際の利便性が向上する。
【００７８】
＜第２実施形態＞
本発明の第２実施形態に係る再生システム１００Ｂは、図１〜２に示す第１実施形態の再生システム１００Ａに類似の構成を有しているが、再生装置の制御部の構成が異なっている。
【００７９】
すなわち、本実施形態の再生装置１Ｂの制御部１５Ｂには、以下で説明する再生装置１Ｂの動作を行うための同時再生プログラムが格納されている。
【００８０】
＜再生システム１００Ｂの動作＞
図８は、再生システム１００Ｂ、特に再生装置１Ｂの基本的な動作を示すフローチャートである。本動作は、制御部１５Ｂで同時再生プログラムを実行することによって実施される。
【００８１】
ステップＳ２１では、再生する楽曲を選択する。すなわち、例えばユーザが操作部１１を操作し音楽データサーバ２からダウンロードする楽曲を指定することにより、音楽データサーバ２から所望の楽曲データが選び出される。ここでは、例えば「楽曲のジャンル」や「シングルトップチャート」、「アルバムトップチャート」、「過去のトップチャート」、「アーティスト」等から所望の楽曲が指定できるようになっている。
【００８２】
ステップＳ２２では、再生する画像についてキーワードによる画像検索を行うかを判定する。ここでは、例えばキーワードによる画像検索を行うか否かを問う画面を表示部１２に表示し、この画面に対するユーザ入力で判断する。ここで、キーワードによる画像検索を行う場合にはステップＳ２３に進み、行わない場合にはステップＳ２７に進む。
【００８３】
ステップＳ２３では、キーワードのカテゴリーを判定する。ここでは、例えば図９に示す画面を表示部１２に表示し、「思い出」、「シーン等」および「今の気分」のうちいずれがユーザによって選択されたかを判断する。ここで、「思い出」が選択された場合にはステップＳ２４に進み、「シーン等」が選択された場合にはステップＳ２５に進む。また、「今の気分」が選択された場合にはステップＳ２６に進む。
【００８４】
なお、カテゴリーについて単一の選択でなく、複数の選択ができるようにしても良い。
【００８５】
ステップＳ２４では、図３に示すステップＳ４の動作と同様に、検索情報として思い出に関わる年月の入力を行う。
【００８６】
ステップＳ２５では、検索情報としてシーン等に関する入力を行う。例えば、図１０に示す画面を表示部１２に表示し、チェックボックスＣＫ３において選択されたシーン(「スポーツ」、「夜景」)やイベント(「結婚式」、「旅行」)の情報を取得する。
【００８７】
ステップＳ２６では、図３に示すステップＳ６の動作と同様に、検索情報として今の気分に関する入力を行う。
【００８８】
ステップＳ２７では、ステップＳ１で選択された楽曲の再生を開始する。例えば、操作部１１に対するユーザ操作に応答して楽曲の再生がスタートする。
【００８９】
ステップＳ２８では、楽曲の再生時間を取得する。この場合、ステップＳ２１で複数の楽曲が選択されている場合には、それらの合計演奏時間を再生時間として取得する。
【００９０】
ステップＳ２９では、キーワードによる画像検索を行うかを判定する。ここでは、ステップＳ２２での判定結果を受けてキーワードによる画像検索の有無が自動的に判断される。ここで、キーワードによる画像検索を行う場合にはステップＳ３０に進み、行わない場合にはステップＳ３４に進む。
【００９１】
ステップＳ３０では、キーワードのカテゴリーを判定する。ここでは、ステップＳ２３での判定結果を受けてキーワードのカテゴリーが自動的に判断される。ここで、「思い出」が選択されていた場合にはステップＳ３１に進み、「シーン等」が選択されていた場合にはステップＳ３２に進む。また、「今の気分」が選択されていた場合にはステップＳ３３に進む。
【００９２】
なお、カテゴリーが複数選択されている場合には、それぞれの「ａｎｄ」をとって後述の画像検索が行われる。
【００９３】
ステップＳ３１では、ステップＳ２４で入力された年月に基づき画像検索を行う。具体的には、画像データの付加情報（例えば撮影年月日の情報）を参照し、入力された年月に該当する画像データを再生装置１Ｂの記憶部１６で検索する。
【００９４】
ステップＳ３２では、ステップＳ２５で入力されたシーン等に基づき画像検索を行う。具体的には、画像データの付加情報（例えば撮影シーンやイベントの情報）を参照し、入力されたシーン等に該当する画像データを記憶部１６で検索する。
【００９５】
ステップＳ３３では、ステップＳ２６で入力された今の気分に基づき画像検索を行う。具体的には、画像データの付加情報（例えば撮影シーンやイベントの情報）を参照し、入力された今の気分に該当する画像データを記憶部１６で検索する。例えば、図７に示すように今の気分として「ハッピーな気分」が選択されていた場合には、付加情報に「結婚式」が書き込まれている画像データが選択されることとなる。
【００９６】
ステップＳ３４では、ステップＳ２１で選択された楽曲データの付加情報と記憶部１６内の画像データの付加情報とを参照し、再生する楽曲に関連した画像検索を行う。例えば、再生する楽曲のジャンルが「ロック」となっている場合には、撮影シーンが「スポーツ(モード)」の画像データを記憶部１６で検索する。また、選曲した楽曲がチャートアップした頃に撮影した画像を選ぶようにしても良い。例えば選曲した楽曲がクリスマスソングであれば、クリスマス前後に撮影したものや、冬の時期に夜景モードで撮影したものなどの画像データを記録部１６で検索する。
【００９７】
ステップＳ３５では、ステップＳ１１〜Ｓ１４で検索された画像から、ステップＳ２８で取得された再生時間分の画像を抽出する。具体的には、ステップＳ２８で取得された再生時間を、予め設定されている画像１枚当たりの表示時間で除算することによって得られる枚数分の画像を抽出する。
【００９８】
ステップＳ３６では、ステップＳ２１で選択された楽曲を音楽データサーバ２からダウンロードしてスピーカ１３で再生するとともに、ステップＳ３５で抽出された画像を表示部１２やプロジェクタ４で再生表示する。すなわち、音楽データサーバ２から選び出された楽曲データに基づく楽曲の再生をスピーカ１３で行いつつ、キーワードで検索された画像データや再生する楽曲に関連して検索された画像データに基づく画像の再生を表示部１２等で行う。
【００９９】
ステップＳ３７では、図３に示すステップＳ１７と同様の動作を行う。
【０１００】
以上の再生装置１Ｂ(再生システム１００Ｂ)の動作により、音楽データサーバ２からユーザが選択した楽曲データに基づく楽曲の再生をスピーカ１３で行いつつ、キーワード等に基づき画像検索された画像データに基づく画像の再生を表示部１２(またはプロジェクタ４)で行うため、画像および楽曲を並行して再生する際の利便性が向上する。
【０１０１】
なお、再生システム１００Ｂにおいては、第１実施形態の再生システム１００Ａのように楽曲のダウンロードの際に料金表示を行っても良い。
【０１０２】
＜第３実施形態＞
本発明の第３実施形態に係る再生システム１００Ｃは、図１〜２に示す第１実施形態の再生システム１００Ａに類似の構成を有しているが、再生装置の制御部の構成が異なっている。
【０１０３】
すなわち、本実施形態の再生装置１Ｃの制御部１５Ｃには、以下で説明する再生装置１Ｃの動作を行うための同時再生プログラムが格納されている。
【０１０４】
＜再生システム１００Ｃの動作＞
図１１は、再生システム１００Ｃ、特に再生装置１Ｃの基本的な動作を示すフローチャートである。本動作は、制御部１５Ｃで同時再生プログラムを実行することによって実施される。
【０１０５】
ステップＳ４１〜Ｓ４４では、図８に示すステップＳ２３〜Ｓ２６と同様の動作を行う。
【０１０６】
ステップＳ４５では、画像および楽曲の再生を開始する。例えば、操作部１１に対するユーザ操作に応答して再生がスタートする。
【０１０７】
ステップＳ４６〜Ｓ４９では、図８に示すステップＳ３０〜Ｓ３３と同様の動作を行う。
【０１０８】
ステップＳ５０では、図３に示すステップＳ１１と同様の動作を行う。
【０１０９】
ステップＳ５１では、ステップＳ４３で入力されたシーン等に基づき選曲を行う。具体的には、楽曲データの付加情報（例えばメモ情報）を参照し、入力されたシーン等に該当する楽曲データを音楽データサーバ２で検索する。例えば、図１０に示すようにシーン等として「夜景」が選択されていた場合には、付加情報に「スローテンポ」が書き込まれている楽曲データが選択されることとなる。
【０１１０】
ステップＳ５２では、図３に示すステップＳ１３と同様の動作を行う。
【０１１１】
ステップＳ５３では、ステップＳ４７〜Ｓ４９で検索された画像を順次に表示部１２やプロジェクタ４で再生表示するとともに、ステップＳ５０〜Ｓ５２で選曲された楽曲を音楽データサーバ２からダウンロードしてスピーカ１３で再生する。すなわち、キーワード(検索情報)で検索された画像データに基づく画像の再生を表示部１２等で行いつつ、同一のキーワードで検索された楽曲データに基づく楽曲の再生をスピーカ１３で行う。
【０１１２】
ステップＳ５４では、画像および楽曲の再生を終了するか否かを判定する。例えば、操作部１１に対するユーザ操作に応答して再生の終了が判断される。ここで、再生を終了する場合にはステップＳ５５に進み、終了しない場合にはステップＳ４６に戻る。
【０１１３】
ステップＳ５５では、図３に示すステップＳ１７と同様の動作を行う。
【０１１４】
以上の再生装置１Ｃ(再生システム１００Ｃ)の動作により、入力されたキーワードで検索された画像データに基づく画像の再生を表示部１２(またはプロジェクタ４)で行いつつ、同じキーワードで検索された楽曲データに基づく楽曲の再生をスピーカ１３で行うため、画像および楽曲を並行して再生する際の利便性が向上する。
【０１１５】
なお、再生システム１００Ｃにおいては、ユーザによって入力された同一のキーワードに基づき画像および楽曲を検索するのは必須でなく、キーワードを別にして画像と楽曲とを検索するようにしても良い。
【０１１６】
また、再生システム１００Ｃにおいては、第１実施形態の再生システム１００Ａのように楽曲のダウンロードの際に料金表示を行っても良い。
【０１１７】
＜変形例＞
・上記の各実施形態における再生装置として、パーソナルコンピュータを採用するのは必須でなく、ＰＤＡ(Personal Digital Assistants)や通信機能を有するデジタルカメラ、カメラ機能を有する携帯電話などを採用しても良い。
【０１１８】
・上記の各実施形態における楽曲の再生については、音楽データサーバからダウンロードしながら再生するのは必須でなく、図３のステップＳ１８で示したように再生装置に保存されているダウンロード済みの楽曲データを再生するようにしても良い。
【０１１９】
・上記の各実施形態において画像データとして動画を再生する際には、ユーザが設定した比率に基づいて楽曲と動画音声とをミキシングするようにしても良い。これにより、例えば動画音声のＢＧＭとして楽曲を再生したい場合には、動画音声の半分以下程度に楽曲の音量を抑えて再生できることとなる。
【０１２０】
・上記の各実施形態においては、ダウンロード可能な楽曲(曲名)の情報とその演奏時間に対応した画像の再生時間情報とを一元的に画像ファイルのＥＸＩＦタグに書き込むようにしても良い。これにより、画像再生時には、画像ファイルのタグ情報に基づき選曲された楽曲を再生しつつ、タグ内の画像の再生時間情報に従った画像再生を行えることとなる。なお、記憶部等において画像ファイルの削除や追加を行う場合には、それに伴ってＥＸＩＦタグにおける上記の楽曲情報や画像の再生時間情報の消去や書き込みを行う。
【０１２１】
・上記の第３実施形態における再生システム１００Ｃについては、キーワードにより画像、楽曲とも検索を行ったが、例えば先に画像のみを検索して、その後に図３のステップＳ１４のように画像に関連した楽曲を検索するようにしても良いし、先に楽曲を検索して図８のステップＳ３４のように楽曲に関連した画像を検索するようにしても良い。
【図面の簡単な説明】
【０１２２】
【図１】本発明の第１実施形態に係る再生システム１００Ａの要部構成を示す概略図である。
【図２】再生装置１Ａの機能ブロックを示す図である。
【図３】再生システム１００Ａの基本的な動作を示すフローチャートである。
【図４】再生装置１Ａの動作を説明するための図である。
【図５】再生装置１Ａの動作を説明するための図である。
【図６】再生装置１Ａの動作を説明するための図である。
【図７】再生装置１Ａの動作を説明するための図である。
【図８】本発明の第２実施形態に係る再生システム１００Ｂの基本的な動作を示すフローチャートである。
【図９】再生装置１Ｂの動作を説明するための図である。
【図１０】再生装置１Ｂの動作を説明するための図である。
【図１１】本発明の第３実施形態に係る再生システム１００Ｃの基本的な動作を示すフローチャートである。
【符号の説明】
【０１２３】
１Ａ、１Ｂ、１Ｃ  再生装置
２  音楽データサーバ
３  デジタルカメラ
４  プロジェクタ
１１  操作部
１２  表示部
１３  スピーカ
１５Ａ、１５Ｂ、１５Ｃ  制御部
１６  記憶部
９１  光ディスク
１００Ａ、１００Ｂ、１００Ｃ  再生システム
【図１】
2007172675.tif 000003
【図２】
2007172675.tif 000004
【図３】
2007172675.tif 000005
【図４】
2007172675.tif 000006
【図５】
2007172675.tif 000007
【図６】
2007172675.tif 000008
【図７】
2007172675.tif 000009
【図８】
2007172675.tif 000010
【図９】
2007172675.tif 000011
【図１０】
2007172675.tif 000012
【図１１】
2007172675.tif 000013